(57)【要約】【課題】容積を変更することができる鞄において、構造が簡単で製造コストを低減できる鞄を提供すること。【解決手段】物品を収納するケース本体１１と、このケース本体１１に対向する蓋体１２と、鞄１０の容積を変更することができる可変部材２０とを備えている鞄２０である。可変部材２０は、ケース本体１１と蓋体１２の間に配置され環状に形成された第１環状部材２１及び第２環状部材２２と、ケース本体１１と第１環状部材２１との間、又は蓋体１２と第２環状部材２２との間、の少なくともいずれか一方に伸縮可能に設けられ樹脂製で蛇腹状に形成された樹脂蛇腹部３１、４１とを備えている。樹脂蛇腹部３１、４１は、拡張形状及び縮小形状を維持する。【選択図】図１
2017012296.tif 000002
【特許請求の範囲】
【請求項１】
物品を収納するケース本体と、このケース本体に対向する蓋体と、鞄の容積を変更することができる可変部材とを備えている鞄において、
前記可変部材は、
前記ケース本体と前記蓋体の間に配置され環状に形成された第１環状部材及び第２環状部材と、
前記ケース本体と前記第１環状部材との間、又は前記蓋体と前記第２環状部材との間、の少なくともいずれか一方に伸縮可能に設けられ樹脂製で蛇腹状に形成された樹脂蛇腹部と、
前記第１環状部材と前記第２環状部材とに設けられ前記第１環状部材を前記第２環状部材に着脱する着脱手段とを備え、
前記樹脂蛇腹部は、拡張形状及び縮小形状を維持することを特徴とする鞄。
【請求項２】
前記ケース本体及び前記蓋体には、前記可変部材が任意の拡張状態から変動しないように拡張を規制する拡張規制部材が備えられていることを特徴とする請求項１記載の鞄。
【請求項３】
前記樹脂蛇腹部の下部の板厚は、前記樹脂蛇腹部の側部及び上部の板厚よりも厚く形成されていることを特徴とする請求項１又は請求項２記載の鞄。
【請求項４】
前記樹脂蛇腹部は、前記ケース本体又は前記蓋体の少なくともいずれか一方に、一体に成形されていることを特徴とする請求項１〜３のいずれか１項記載の鞄。
【請求項５】
前記ケース本体の底面部の外側に、スライドバーによって伸縮する伸縮取っ手が設けられ、
前記ケース本体の底面部には、前記スライドバーが嵌る第１溝部が形成され、
前記蓋体の底面部には、前記第１溝部と同形状の第２溝部が形成されていることを特徴とする請求項１〜４のいずれか１項記載の鞄。
【請求項６】
前記ケース本体の底面部の外側には、前記樹脂蛇腹部の拡張方向へ引っ張り可能に第１取っ手が設けられ、
前記蓋体の底面部の外側には、前記蛇腹部の拡張方向へ引っ張り可能に第２取っ手が設けられていることを特徴とする請求項１〜５のいずれか１項記載の鞄。
【請求項７】
前記第１環状部材及び前記第２環状部材は、金属製又は強化プラスチック製のフレームであり、
前記第１環状部材にヒンジを介して前記第２環状部材が取り付けられ、
前記着脱手段は、前記フレームに設けられたロック機構であることを特徴とする請求項１〜６のいずれか１項記載の鞄。
【請求項８】
前記第１環状部材及び前記第２環状部材は、前記樹脂蛇腹部の縁部であり、
前記着脱手段は、ファスナーであることを特徴とする請求項１〜６のいずれか１項記載の鞄。
【請求項９】
前記ケース本体と前記蓋体とは、同じ形状であることを特徴とする請求項１〜８のいずれか１項記載の鞄。
【発明の詳細な説明】
【技術分野】
【０００１】
本発明は、ビジネスや旅行等で持ち運ぶ鞄に関し、特に、容積を変更することができる鞄に関するものである。
【背景技術】
【０００２】
ビジネスや旅行などで荷物を鞄に入れて運ぶ際、一般的には、荷物が少ない場合は小さな鞄が使用され、荷物が多い場合は大きな鞄が使用される。これらの鞄を保管するには、鞄の数に応じたスペースが必要となるが、保管スペースを小さくできれば好ましい。この点、鞄の容積を変更することができれば荷物の量に影響されずに１つの鞄で済み、保管スペースを小さくできる。また、旅先で荷物が増える場合、予め大きな鞄を持っていくよりも、必要に応じて鞄の容積を大きくした方が、旅先までの鞄の持ち運びが楽である。このような容積を変更することができる鞄が知られている（例えば、特許文献１（図１）参照。）。
【０００３】
特許文献１に開示されている鞄の構成を図１７に基づいて説明する。
図１７に示すように、鞄１００は、１面が開口している箱状のケース本体１０１と、このケース本体１０１に対向する蓋体１０２と、ケース本体１０１と蓋体１０２の間に配置されているフレーム１０３とを備えている。ケース本体１０１とフレーム１０３の間に、鞄１００の容積を変更することが可能な可変部材１０４が設けられている。蓋体１０２とフレーム１０３の間にも可変部材１０４が設けられている。
【０００４】
詳細には、可変部材１０４は、鞄１００の直線状の縁に設けられヒンジ１０５を介して互いに連結される２枚の板体１０６と、鞄１００の角部に設けられヒンジ１０７を介して互いに連結される２枚の角板１０８と、板体１０６と角板１０８の隙間に設けられ柔軟性を有する保護布１０９とを備えている。さらに、板体１０６及び角板１０８の一端はケース本体１０１にファスナー１１０を介して回転可能に設けられ、板体１０６及び角板１０８の他端はフレーム１０３にファスナー１１０を介して回転可能に設けられている。
【０００５】
ケース本体１０１に蓋体１０２を近づけると、可変部材１０４が折り畳まれ、鞄１００の容量が小さくなる。ケース本体１０１から蓋体１０２を遠ざけると、可変部材１０４が広がり、鞄１００の容積が大きくなる。鞄１００の構造は部品点数を少なくして簡単にすることが望まれる。しかし、鞄１００は、可変部材１０４の部品点数が多いため、構造が複雑となり製造コストも高くなる。そこで、構造が簡単で製造コストを低減できる鞄が求められている。
【先行技術文献】
【特許文献】
【０００６】
【特許文献１】特開２０１５−５４１２８号公報
【発明の概要】
【発明が解決しようとする課題】
【０００７】
本発明は、容積を変更することができる鞄において、構造が簡単で製造コストを低減できる鞄を提供することを課題とする。
【課題を解決するための手段】
【０００８】
請求項１に係る発明では、物品を収納するケース本体と、このケース本体に対向する蓋体と、鞄の容積を変更することができる可変部材とを備えている鞄において、前記可変部材は、前記ケース本体と前記蓋体の間に配置され環状に形成された第１環状部材及び第２環状部材と、前記ケース本体と前記第１環状部材との間、又は前記蓋体と前記第２環状部材との間、の少なくともいずれか一方に伸縮可能に設けられ樹脂製で蛇腹状に形成された樹脂蛇腹部と、前記第１環状部材と前記第２環状部材とに設けられ前記第１環状部材を前記第２環状部材に着脱する着脱手段とを備え、前記樹脂蛇腹部は、拡張形状及び縮小形状を維持することを特徴とする。
【０００９】
請求項２に係る発明では、ケース本体及び蓋体には、可変部材が任意の拡張状態から変動しないように拡張を規制する拡張規制部材が備えられていることを特徴とする。
【００１０】
請求項３に係る発明では、樹脂蛇腹部の下部の板厚は、樹脂蛇腹部の側部及び上部の板厚よりも厚く形成されていることを特徴とする。
【００１１】
請求項４に係る発明では、樹脂蛇腹部は、ケース本体又は蓋体の少なくともいずれか一方に、一体に成形されていることを特徴とする。
【００１２】
請求項５に係る発明では、ケース本体の底面部の外側に、スライドバーによって伸縮する伸縮取っ手が設けられ、ケース本体の底面部には、スライドバーが嵌る第１溝部が形成され、蓋体の底面部には、第１溝部と同形状の第２溝部が形成されていることを特徴とする。
【００１３】
請求項６に係る発明では、ケース本体の底面部の外側には、蛇腹部の拡張方向へ引っ張り可能に第１取っ手が設けられ、蓋体の底面部の外側には、蛇腹部の拡張方向へ引っ張り可能に第２取っ手が設けられていることを特徴とする。
【００１４】
請求項７に係る発明では、第１環状部材及び前記第２環状部材は、金属製又は強化プラスチック製のフレームであり、第１環状部材にヒンジを介して第２環状部材が取り付けられ、着脱手段は、フレームに設けられたロック機構であることを特徴とする。
【００１５】
請求項８に係る発明では、第１環状部材及び第２環状部材は、樹脂蛇腹部の縁部であり、着脱手段は、ファスナーであることを特徴とする。
【００１６】
請求項９に係る発明では、ケース本体と蓋体とは、同じ形状であることを特徴とする。
【発明の効果】
【００１７】
請求項１に係る発明では、可変部材は、ケース本体と蓋体の間に配置され環状に形成された第１環状部材及び第２環状部材と、ケース本体と第１環状部材との間、又は蓋体と第２環状部材との間、の少なくともいずれか一方に伸縮可能に設けられ樹脂製で蛇腹状に形成された樹脂蛇腹部とを備える。可変部材は、拡張形状及び縮小形状を維持する樹脂蛇腹部で構成するので、鞄の容積を変更することができる鞄において、部品点数を低減し構造が簡単で製造コストを低減することができる。
【００１８】
請求項２に係る発明では、ケース本体及び蓋体には、可変部材が任意の拡張状態から変動しないように拡張を規制する拡張規制部材が備えられているので、鞄を任意の大きさに維持することができる。
【００１９】
請求項３に係る発明では、樹脂蛇腹部の下部の板厚は、樹脂蛇腹部の側部及び上部の板厚よりも厚く形成されているので、鞄に重い荷物を収納することで樹脂蛇腹部の下部に大きな荷重が掛かっても、樹脂蛇腹部の形状を保持することができる。
【００２０】
請求項４に係る発明では、樹脂蛇腹部は、ケース本体又は蓋体の少なくともいずれか一方に、一体に成形されているので、部品点数を削減し、構造を簡単にすることができる。
【００２１】
請求項５に係る発明では、ケース本体の底面部には、伸縮取っ手のスライドバーが嵌る第１溝部が形成されているので、ケース本体の底面部の剛性を向上させることができる。同様に蓋体の底面部には、第１溝部と同形状の第２溝部が形成されているので、蓋体の底面部の剛性を向上させることができる。加えて、第１溝部を利用して伸縮取っ手のスライドバーを取り付けるので、スペースを有効に活用することができ、鞄の小型化を図ることができる。
【００２２】
請求項６に係る発明では、ケース本体の底面部の外側には、蛇腹部の拡張方向へ引っ張り可能に第１取っ手が設けられ、蓋体の底面部の外側には、蛇腹部の拡張方向へ引っ張り可能に第２取っ手が設けられている。可変部材の伸縮方向に対向するようにして、第１取っ手と第２取っ手が設けられているので、鞄の拡張作業及び縮小作業を容易に行うことができる。
【００２３】
請求項７に係る発明では、第１環状部材及び前記第２環状部材は、金属製又は強化プラスチック製のフレームである。第１環状部材にヒンジを介して第２環状部材が取り付けられ、着脱手段は、フレームに設けられたロック機構であるので、通常のフレームを有する鞄の部品をそのまま利用でき、部品コストを低減することができる。
【００２４】
請求項８に係る発明では、第１環状部材及び第２環状部材は、樹脂蛇腹部の縁部であり、着脱手段は、ファスナーであるので、ファスナーによって開閉する通常の鞄の部品をそのまま利用でき、構造を簡単にして部品コストを低減することができる。
【００２５】
請求項９に係る発明では、ケース本体と蓋体とは、同じ形状であるので、ケース本体と蓋体とを製造するための金型を共通化でき、鞄の製造コストを低減することができる。
【図面の簡単な説明】
【００２６】
【図１】実施例１に係る鞄の分解斜視図である。
【図２】実施例１に係る鞄の斜視図である。
【図３】実施例１に鞄の側面図である。
【図４】フレームの断面図である。
【図５】樹脂蛇腹部の下部の要部断面図である。
【図６】樹脂蛇腹部の側部及び上部の要部断面図である。
【図７】鞄の作用図である。
【図８】実施例２に係る拡張規制部材の斜視図である。
【図９】実施例２に係る鞄の正面図である。
【図１０】実施例２に係る鞄の側面図である。
【図１１】実施例３に係る鞄の側面図である。
【図１２】ファスナーの断面図である。
【図１３】実施例４に係る鞄の分解斜視図である。
【図１４】実施例４に係る鞄の要部断面図である。
【図１５】実施例５に係る鞄の分解斜視図である。
【図１６】実施例５に係る鞄の要部断面図である。
【図１７】従来の技術の基本構成を説明する図である。
【発明を実施するための形態】
【００２７】
本発明の実施の形態を添付図に基づいて以下に説明する。
【実施例１】
【００２８】
先ず、本発明の実施例１を図面に基づいて説明する。
図１、図２に示されるように、鞄１０は、持ち運び可能なスーツケース等である。鞄１０は、衣類などの物品を収納するケース本体１１と、このケース本体１１に対向する蓋体１２と、鞄１０の容積を変更することができる可変部材２０とを備えている。
【００２９】
可変部材２０は、ケース本体１１と蓋体１２の間に配置され環状に形成された第１環状部材２１及び第２環状部材２２と、ケース本体１１と第１環状部材２１との間に伸縮可能に設けられ蛇腹状に形成された第１の樹脂蛇腹部３１と、蓋体１２と第２環状部材２２との間に設けられ蛇腹状に形成された第２の樹脂蛇腹部４１と備えている。
【００３０】
第１の樹脂蛇腹部３１及び第２の樹脂蛇腹部４１は、樹脂製であり、ポリプロピレン（ＰＰ）で形成されている。なお、実施例では、第１の樹脂蛇腹部３１及び第２の樹脂蛇腹部４１の材質をポリプロピレンとしたが、これに限定されず、拡張形状及び縮小形状を維持できれば、ポリエチレン、ポリスチレン、ポリカーボネート、塩化ビニル樹脂等、他の樹脂であっても差し支えない。
【００３１】
第１環状部材２１及び第２環状部材２２は、金属製のフレームである。第１環状部材（フレーム）２１にヒンジ２３を介して第２環状部材（フレーム）２２が開閉可能に取り付けられている。第１環状部材２１と第２環状部材２２には、第１環状部材２１を第２環状部材２２に着脱する着脱手段２４が設けられている。
【００３２】
着脱手段２４は、ロック機構である。着脱手段（ロック機構）２４は、キーによってロック、アンロックを切り換えることができる。着脱手段２４は、フレームに設けられたロック機構であるので、通常のフレームを有する鞄の部品をそのまま利用でき、部品コストを低減することができる。
【００３３】
第１の樹脂蛇腹部３１は、両側の開口端に環状の取付部３２、３３が形成されている。一方の取付部３２は、ケース本体１１の開口部１１ａに取り付けられる。他方の取付部３３は、第１環状部材２１に取り付けられる。
【００３４】
第２の樹脂蛇腹部４１は、両側の開口端に環状の取付部４２、４３が形成されている。一方の取付部４２は、蓋体１２の開口部１２ａに取り付けられる。他方の取付部４３は、第２環状部材２２に取り付けられる。
【００３５】
ケース本体１１の下部及び蓋体１２の下部に、キャスター１３が設けられている。ケース本体１１の底面部１１ｂの外側に、スライドバー１４によって伸縮する伸縮取っ手１５が設けられている。
【００３６】
ケース本体１１の底面部１１ｂには、スライドバー１４が嵌る第１溝部１１ｃが形成されている。このため、ケース本体１１の底面部１１ｂの剛性を向上させることができる。さらに、第１溝部１１ｃを利用して伸縮取っ手１５のスライドバー１４を取り付けるので、スペースを有効に活用することができ、鞄１０の小型化を図ることができる。
【００３７】
また、蓋体１２の底面部１２ｂには、第１溝部１１ｃと同形状の第２溝部１２ｃが形成されている。第２溝部１２ｃが形成されているので、蓋体１２の底面部１２ｂの剛性を向上させることができる。蓋体１２は、ケース本体１１と同じ形状である。このため、ケース本体１１と蓋体１２とを製造するための金型を共通化でき、鞄１０の製造コストを低減することができる。
【００３８】
キャスター１３の取付位置をケース本体１１及び蓋体１２の下部とした場合に、伸縮取っ手１５はケース本体１１の上部に位置しており、伸縮取っ手１５を引き出し、手で把持することで、鞄１０を牽引移動させることができる。また、キャスター１３を地面や床に設置することで、鞄１０を自立させることができる。
【００３９】
第１環状部材２１の上部には、伸縮取っ手１５とは別に、持ち運び用の上部把持部１６が、揺動可能、起伏又は引出可能に設けられている。さらに、第１環状部材２１におけるヒンジの反対側の側部には、持ち運び用の側部把持部１７が揺動可能、起伏又は引出可能に設けられている。なお、上部把持部１６の形状及び側部把持部１７の形状は、実施例の形状に限定されず、固定式であってもよく、手で把持することができれば、他の一般的な取っ手の形状であっても差し支えない。また、側部把持部１７は、無くても差し支えない。
【００４０】
ケース本体１１の底面部１１ｂの外側には、樹脂蛇腹部３１、４１の拡張方向へ引っ張り可能に第１取っ手５１が設けられている。蓋体１２の底面部１２ｂの外側には、樹脂蛇腹部３１、４１の拡張方向へ引っ張り可能に第２取っ手５２が設けられている。
【００４１】
鞄１０の容積を変更する際、第１取っ手５１及び第２取っ手５２を押し引きすることで、底面部１１ｂ、１２ｂに負荷が掛かる。この点、本発明では第１溝部１１ｃ及び第２溝部１２ｃによって底面部１１ｂ、１２ｂの剛性が向上しているので、底面部１１ｂ、１２ｂの厚みを大きくする又はリブを設ける等の対策が必要なく、鞄１０の軽量化を図ることができる。
【００４２】
ケース本体１１の底面部１１ｂには、底面部１１ｂを下にした際に床に接する設置部１１ｄが設けられている。同様に蓋体１２の底面部１２ｂには、設置部１２ｄ（図３参照）が設けられている。
【００４３】
また、鞄１０は、可変部材２０が任意の拡張状態から変動しないように拡張を規制する拡張規制部材６０を備えている。拡張規制部材６０は、ケース本体１１の上部に設けられ長く形成された本体側上部ベルト６１と、蓋体１２の上部に設けられ短く形成された蓋体側上部ベルト７１と、蓋体側上部ベルト７１の先端に設けられた上部バックル７２とを備えている。
【００４４】
上部バックル７２は、一般的なベルトのバックルであり、詳細な説明は省略するが、本体側上部ベルト６１を上部バックル７２に通し、上部バックル７２をロックすることで本体側上部ベルト６１及び蓋体側上部ベルト７１の長さが規制される。なお、上部バックル７２の構成は、本体側上部ベルト６１及び蓋体側上部ベルト７１の長さを規制することができれば、押しボタンによるロック解除形式、ベルトに食い込んだＬ字状部品を揺動させて起こしロックを解除する形式、ベルトの穴に通された止め金を外してロックを解除する形式など、他の一般的なバックルでもよく形式は問わない。
【００４５】
同様に鞄１０の下部にも拡張規制部材６０が設けられている。拡張規制部材６０は、ケース本体１１の下部に設けられ長く形成された本体側下部ベルト６３と、蓋体１２の下部に設けられ短く形成された蓋体側下部ベルト７３と、蓋体側下部ベルト７３の先端に設けられた下部バックル７４とを備えている。
【００４６】
なお、実施例では、拡張規制部材６０は、鞄１０の上部に配置した本体側上部ベルト６１及び蓋体側上部ベルト７１と、鞄１０の下部に配置した本体側下部ベルト６３及び蓋体側下部ベルト７３とからなる縦付け（天地）の構成としたが、これに限定されない。例えば、拡張規制部材６０は、ベルトを鞄１０の側部端部１７側とヒンジ２３側とに配置する、横付け（左右）の構成としても差し支えない。
【００４７】
以上に説明したように、本発明の鞄１０における可変部材２０は、拡張形状及び縮小形状を維持する樹脂蛇腹部３１、４１で構成するので、容積を変更することができる鞄１０において、部品点数を低減し構造が簡単で製造コストを低減することができる。
【００４８】
図３（ａ）に示されるように、可変部材２０は拡張された状態である。第１の樹脂蛇腹部３１及び第２の樹脂蛇腹部４１は拡張形状を維持している。拡張された状態において、第１の樹脂蛇腹部３１の下部及び第２の樹脂蛇腹部４１の下部は、床８１から離間した状態を維持している。鞄１０内の荷物によって、ケース本体１１から蓋体１２が広がる方向に荷重を受けても、拡張規制部材６０によって、拡張することが規制される。さらに、鞄１０内の荷物によって鞄１０の下部に荷重が加わっても、樹脂蛇腹部３１、４１は比較的硬質な樹脂で形成されており形状を維持することができる。  
【００４９】
図３（ｂ）に示されるように、可変部材２０は縮小された状態である。可変部材２０の縮小に応じて、拡張規制部材６０は、本体側上部ベルト６１及び本体側下部ベルト６３が短い状態でロックされている。また、可変部材２０の伸縮方向に対向するようにして、第１取っ手５１と第２取っ手５２が設けられているので、鞄１０の拡張作業及び縮小作業を容易に行うことができる。
【００５０】
次に第１環状部材２１及び第２環状部材２２の断面について説明する。
図４（ａ）に示されるように、第１環状部材２１は締結部材３５によって、第１の樹脂蛇腹部３１の取付部３３に締結されている。取付部３３は直線状に延びている。第１環状部材２１は、取付部３３を嵌める蛇腹取付溝２１ａと、パッキン３６を取り付けるパッキン取付溝２１ｂとが形成されている。パッキン３６の先端は山状に形成されている。
【００５１】
同様に、第２環状部材２２は締結部材４５によって、第２の樹脂蛇腹部４１の取付部４３に締結されている。取付部４３は直線状に延びている。第２環状部材２２は、取付部４３を嵌める蛇腹取付溝２２ａと、パッキン４６を取り付けるパッキン取付溝２２ｂとが形成されている。パッキン４６の先端は谷状に形成されている。
【００５２】
図４（ｂ）に示されるように、鞄１０（図３参照）を閉じると、第１環状部材２１のパッキン３６の山状部が、第２環状部材２２のパッキン４６の谷状部分に嵌合されている。このため、簡単な構成で鞄１０の防水性を向上させることができる。
【００５３】
次に樹脂蛇腹部３１、４１の断面について説明する。
図５に示されるように、樹脂蛇腹部３１、４１の下部の板厚はｔ１であり、比較的厚く形成されている。  
【００５４】
図６に示されるように、樹脂蛇腹部３１、４１の側部及び上部の板厚はｔ２である。下部の板厚ｔ１（図５参照）は、側部及び上部の板厚ｔ２よりも厚く形成されている。すわなち、樹脂蛇腹部３１、４１は、下部を厚く形成することで補強されている。このため、鞄１０に重い荷物を収納することで樹脂蛇腹部３１、４１の下部に大きな荷重が掛かっても、樹脂蛇腹部３１、４１の形状を保持することができる。
【００５５】
以上に述べた鞄１０の作用について次に説明する。
図７（ａ）に示されるように、鞄１０は拡張された状態であり、重い荷物が収納されている。荷物によって、樹脂蛇腹部３１、４１は矢印のように下方に荷重を受ける。
【００５６】
図７（ｂ）に示されるように、樹脂蛇腹部３１、４１が下方に若干撓むが、樹脂蛇腹部３１、４１の下部は側部及び上部よりも厚く形成されているため、その状態が維持される。このため、樹脂蛇腹部３１、４１が直接床に８１に接触することを防止できる。
【実施例２】
【００５７】
次に、本発明の実施例２を図面に基づいて説明する。なお、図１に示した構成と同一構成については同一符号を付け、詳細説明は省略する。
図８〜図１０に示されるように、拡張規制部材６０は、引き出しベルト６５と、ケース本体１１に設けられ引き出しベルト６５を巻き取るリトラクタ６６と、蓋体１２に設けられ引き出しベルト６５が差し込まれるベルト保持部６７とを備えている。引き出しベルト６５は、リトラクタ６６内の付勢部材によって巻き取り方向に付勢されている。引き出しベルト６５の中央部から先端部にかけて、複数の爪部６８が一方向に引っ掛かるように並べられている。
【００５８】
ベルト保持部６７には、引き出しベルト６５が貫通する貫通穴６７ａが形成され、内部に爪部６８を止めるストッパーが設けられている。引き出しベルト６５は、貫通穴６７ａの挿入方向へは自由に挿入でき、抜き取り方向へはストッパーによって移動が規制されている。ベルト保持部６７に設けられた解除ボタン６７ｂを押すことで、ストッパーによる規制が解除される。引き出しベルト６５をスライドさせ、リトラクタ６６で回転して巻き取り、引き出しベルト６５を抜き取ることができる。すなわち、ベルト保持部６７は、ラチェット機構の役割を有する。
【００５９】
引き出しベルト６５は、リトラクタ６６に設けられた付勢部材によって巻き取り方向に付勢されている。なお、図８では鞄１０の下部側の拡張規制部材６０のみを説明したが、鞄１０の上部側の拡張規制部材の構成も同様である。
【００６０】
次に拡張規制部材６０の作用を説明する。
図１０（ａ）に示されるように、鞄１０は未使用時の状態である。蓋体１２には、延ばした引き出しベルト６５を収納する収納部１８が形成されている。引き出しベルト６５の先端部がベルト保持部６７に保持されている。
【００６１】
図１０（ｂ）に示されるように、鞄１０は使用時の縮小状態である。引き出しベルト６５を全部引き出し、ベルト保持部６７に挿通する。引き出しベルト６５の余った部分を、収納部１８に収納する。鞄１０が縮小されているため、引き出しベルト６５の余り部分の長さは大きい。引き出しベルト６５は全部引き出されているため、これ以上は引き出せない状態である。結果、鞄１０の拡張が規制させる。
【００６２】
図１０（ｃ）に示されるように、鞄１０は使用時の拡張状態である。引き出しベルト６５を全部引き出し、ベルト保持部６７に挿通する。引き出しベルト６５の余った部分を、収納部１８に収納する。鞄１０が拡張されているため、引き出しベルト６５の余り部分の長さは小さい。引き出しベルト６５は全部引き出されているため、これ以上は引き出せない状態である。結果、鞄１０の拡張が規制させる。
【００６３】
なお、実施例では、リトラクタ６６は引き出しベルト６５を巻き込む方向に付勢するだけの機構としたが、これに限定されず、引き出しベルト６５を引き出した位置に止めるストップ部材付きのものとしても差し支えない。この場合、鞄１０の拡張に応じて必要な分だけ引き出しベルト６５を引き出し、引き出しベルト６５の先端部をベルト保持部６７に保持すればよい。
【実施例３】
【００６４】
次に、本発明の実施例３を図面に基づいて説明する。なお、図３に示した構成と同一構成については同一符号を付け、詳細説明は省略する。
図１１、図１２に示されるように、第１環状部材２１及び第２環状部材２２は、樹脂蛇腹部３１、４１の縁部である。
【００６５】
第１環状部材２１と第２環状部材２２には、第１環状部材２１を第２環状部材２２に着脱する着脱手段２４が設けられている。着脱手段２４は、ファスナーである。第１環状部材（縁部）２１に布ヒンジを介して第２環状部材（縁部）２２が開閉可能に取り付けられている。なお、図は省略するが、第１環状部材２１又は第２環状部材２２にファスナー用ロック装置を設け、着脱手段（ファスナー）２４のスライダーをファスナー用ロック装置にロックしても差し支えない。
【００６６】
図１２（ａ）に示されるように、第１環状部材（縁部）２１は、取付部３３の先端に取付部３３よりも厚く形成されている。このため、第１の樹脂蛇腹部３１の開口端の剛性を向上させ、開口端の形状を保つことができる。第１環状部材２１には、パッキン３６を取り付けるパッキン取付溝２１ｂが形成されている。パッキン３６の先端は山状に形成されている。
【００６７】
同様に、第２環状部材（縁部）２２は、取付部４３の先端に取付部４３よりも厚く形成されている。第２環状部材２２には、パッキン４６を取り付けるパッキン取付溝２２ｂとが形成されている。パッキン４６の先端は谷状に形成されている。
【００６８】
着脱手段（ファスナー）２４は、チャネルテープ２５、ファスナーテープ２６及びエレメント２７から構成されている。取付部３３、４３にチャネルテープ２５及びファスナーテープ２６が配置され、糸２８で縫われている。エレメント２７はファスナーテープ２６の先端に設けられている。第１環状部材２１及び第２環状部材２２は、樹脂蛇腹部３１、４１の縁部であり、着脱手段２４は、ファスナーであるので、ファスナーによって開閉する通常の鞄１０の部品をそのまま利用でき、構造を簡単にして部品コストを低減することができる。
【００６９】
図１２（ｂ）に示されるように、鞄１０（図１１参照）を閉じると、第１環状部材２１のパッキン３６の山状部が、第２環状部材２２のパッキン４６の谷状部分に嵌合されている。パッキン３６、４６の嵌合部は、着脱手段（ファスナー）２４の裏に位置する。このため、簡単な構成で鞄１０の防水性を向上させることができる。
【００７０】
また、図１２に示した樹脂蛇腹部３１、４１の先端から、第１環状部材（縁部）２１及び第２環状部材（縁部）２２をカットすると、図４に示した取付部３２、３３が得られる。このため、フレームにロック機構を設けた形式と、縁部にファスナーを設けた形式とを製造するために、同じ樹脂蛇腹部３１、４１を製造する設備で対応できる。
【実施例４】
【００７１】
次に、本発明の実施例４を図面に基づいて説明する。なお、図１、４に示した構成と同一構成については同一符号を付け、詳細説明は省略する。
図１３、図１４に示されるように、ケース本体１１と第１の樹脂蛇腹部３１との間に蛇腹取付フレーム３４が配置されている。第１の樹脂蛇腹部３１は、断面視、直線状に延びている延長部３２ａを有する。延長部３２ａは、蛇腹取付フレーム３４の一方の溝に取り付けられている。ケース本体１１の開口部１１ａは、蛇腹取付フレーム３４の他方の溝に取り付けられている。開口部１１ａ及び延長部３２ａの蛇腹取付フレーム３４への取付は、接着、糸による縫い付け、締結部材による取付など、いずれの取付手段であってもよい。
【００７２】
同様に、蓋体１２と第２の樹脂蛇腹部４１との間に蛇腹取付フレーム４４が配置されている。第２の樹脂蛇腹部４１は、断面視、直線状に延びている延長部４２ａ有する。この延長部４２ａは、蛇腹取付フレーム４４を介して蓋体１２の開口部１２ａに取り付けられている。
【００７３】
蛇腹取付フレーム３４、４４によって、ケース本体１１の開口部１１ａ、蓋体１２の開口部１２ａの剛性を向上させることができる。
【実施例５】
【００７４】
次に、本発明の実施例５を図面に基づいて説明する。なお、図１、４に示した構成と同一構成については同一符号を付け、詳細説明は省略する。
図１５、図１６に示されるように、第１の樹脂蛇腹部３１は、ケース本体１１に一体に成形されている。同様に、第２の樹脂蛇腹部４１は、蓋体１２に一体に成形されている。
【００７５】
樹脂蛇腹部３１、４１を、それぞれケース本体１１、蓋体１２一体に成形することで、部品点数を削減し、構造を簡単にすることができる。
【００７６】
尚、実施例では、ロック機構２４をキーによってロック、アンロックを切り換えるものとしたが、これ限定されず、ナンバー形式やダイヤル形式のロック機構２４としても差し支えない。また、樹脂蛇腹部３１、４１の断面形状において、頂部に突出した円弧状部を設けたが、これに限定されず、頂部に突出した円弧状部が設けられていないものでもよく、縮小状態及び拡張状態を維持できれば、樹脂蛇腹部３１、４１の形状は問わない。また、樹脂蛇腹部３１、４１を、ケース本体１１と第１環状部材２１の間、及び、蓋体１２と第２環状部材２２の間にそれぞれ設けたが、これに限定されず、いずれか一方の位置に樹脂蛇腹部を設ける態様であっても差し支えない。
【産業上の利用可能性】
【００７７】
本発明の可変部材は、鞄に好適である。
【符号の説明】
【００７８】
１０…  鞄
１１…  ケース本体
１１ｂ…底面部
１１ｃ…第１溝部
１２…  蓋体
１２ｂ…底面部
１２ｃ…第２溝部
１３…  キャスター
１４…  スライドバー
１５…  伸縮取っ手
２０…  可変部材
２１…  第１環状部材（フレーム、縁部）
２２…  第２環状部材（フレーム、縁部）
２４…  着脱手段（ロック機構、ファスナー）
３１、４１…樹脂蛇腹部
５１…  第１取っ手
５２…  第２取っ手
【図１】
2017012296.tif 000003
【図２】
2017012296.tif 000004
【図３】
2017012296.tif 000005
【図４】
2017012296.tif 000006
【図５】
2017012296.tif 000007
【図６】
2017012296.tif 000008
【図７】
2017012296.tif 000009
【図８】
2017012296.tif 000010
【図９】
2017012296.tif 000011
【図１０】
2017012296.tif 000012
【図１１】
2017012296.tif 000013
【図１２】
2017012296.tif 000014
【図１３】
2017012296.tif 000015
【図１４】
2017012296.tif 000016
【図１５】
2017012296.tif 000017
【図１６】
2017012296.tif 000018
【図１７】
2017012296.tif 000019